(57)【要約】本発明はレンズ部間の間隔を簡便に調節することができて、水中眼鏡が偶然に外れても安全な鼻連結具（４２０）を有する水中眼鏡（４００）に関するものである。本発明の鼻連結具（４２０）は側方向端部に向かって離隔されている第１貫通孔（４２２ａ）及び前記第１貫通孔（４２２ａ）から中心線に向かって離隔されている第２貫通孔（４２２ｂ）を有する可撓性連結バンド（４２２）と、可撓性連結バンド（４２２）をそれぞれのレンズ部に連結する支持部材（４２１）を含む。各レンズ上の支持部材（４２１）は前記中心線に向かって延長された延長ノブ（４２１ａ）を有するようになっていて、それぞれは第１端部（４２１ｂ’）とフック部が形成された第２端部（４２１ｂ”）を有する支持部（４２１ｂ）を含む。可撓性を利用したこのような構成は鼻連結具（４２０）の調節が容易で使用者の負傷を避けることができるようにする。
2004500919.tif 000002
【特許請求の範囲】
【請求項１】
一対のレンズ部と、これらレンズ部の中心線側端部を相互連結する鼻連結具を備えた水泳用視野保護装置において、
前記鼻連結具は、
側方向の両端部に形成された第１貫通孔と第１貫通孔から中心線側へ離隔形成された第２貫通孔とを有する可撓性連結バンドと、
それぞれの前記レンズ部の中心線側端部に形成され、前記レンズ部を前記可撓性連結バンドと結合させる連結バンド支持部材とを含み、
それぞれの連結バンド支持部材は、
前記一対のレンズ部のそれぞれの中心線側端部から延長されて、内部面及びこれに対向する外部面を有する延長ノブと、
内部面及びこれに対向した外部面と、第１端部と、第１端部に対向して位置し側方向へ延長される第２端部とを有する支持フック部材と、
前記延長ノブの内部面と前記支持フック部材の外部面とを連結する連結部とを含み、
それぞれの前記支持フック部材の第１端部を前記可撓性連結バンドの第１貫通孔に通過させ、その後、それぞれの前記第１貫通孔とそれぞれの前記第２貫通孔との間の前記可撓性連結バンド部分を引っ張って支持フック部材の第２端部を可撓性連結バンドの第２貫通孔を通じて挿入し、前記各第１貫通孔が前記連結部周囲に位置するようになる方法で、前記可撓性連結バンドの前記側方向の両端部の各々が対応するバンド支持部材に支持されることを特徴とする水泳用視野保護装置。
【請求項２】
第１及び第２レンズ部と、これらレンズ部の中心線側端部を相互連結する鼻連結具を備えた水中眼鏡において、
前記鼻連結具は、
全体の長さにわたり側方向に位置する５つ以上の貫通孔を有する可撓性連結バンドと、
前記第１レンズ部の中心線側端部に形成された第１連結部材と前記第２レンズ部の中心線側端部に形成された第２連結部材とを含み、
前記可撓性連結バンドは前記レンズ部の各々がそれぞれの中心線側端部で前記可撓性連結バンドに結合されるように、前記レンズ部を連結し、
それぞれの連結バンド支持部材は、
前記それぞれのレンズ部の中心線側端部に向かって延長され、内部面及びこれに対向する外部面を有する延長ノブと、
内部面及びこれに対向する外部面と、第１端部と、第１端部に対向する第２端部とを有する支持フック部材と、
延長ノブと前記支持フック部材とを連結する連結部とを含み、
それぞれの支持フック部材の第１端部を可撓性連結バンドの一つの貫通孔に通過させ、その後、前記一つの貫通孔と前記一つの貫通孔から前記中心線に向かって位置したもう一つの貫通孔の間の前記可撓性連結バンド部分を引っ張って支持フック部材の第２端部を前記可撓性連結バンドの前記もう一つの貫通孔を通じて挿入し、前記一つの貫通孔が前記連結部周囲に位置するようになる方法で、前記可撓性連結バンドの前記側方向の両端部の各々が対応するバンド支持部材に支持されることを特徴とする水中眼鏡。
【請求項３】
可撓性連結バンドはポリウレタンで形成されたことを特徴とする請求項１記載の水泳用視野保護装置。
【発明の詳細な説明】
【０００１】
【技術分野】
本発明は水中眼鏡に関し、特に水中眼鏡のレンズ部間の間隔を簡便に調節することができ、水中眼鏡が偶然に外れても安全な鼻連結具を有する水中眼鏡に関する。
【０００２】
【背景技術】
水中眼鏡は左右に所定の距離を置いて配置される一対のレンズ部と、これらレンズ部の中心線側の端部を相互連結する鼻連結具を含む。このような鼻連結具は一対のレンズ部の中心線側の端部を相互連結して一定距離に維持する機能をし、また各レンズ部間の間隔を適切に調節する機能も有する。
【０００３】
各レンズ部間の間隔を調節することができる従来の鼻連結具が備えられた従来の水中眼鏡１００の一例が示された図１を参照すれば、鼻連結具１２０は所定間隔に離隔された各幅方向突起１２２ａ， １２２ｂが内部面に形成された連結バンド１２２の両端部をレンズ部１１０の中心線側端部に形成された各連結バンド挿入孔１２１を通過させることで一対のレンズ部１１０を連結させる。レンズ部の中心線側端部に形成された連結バンド挿入孔１２１は突起１２２ａ， １２２ｂが形成された連結バンドの部分が強引に通過させられる程のサイズになっていて、連結バンドの各突起間の部分１２２ｃが前記挿入孔内に位置した時、連結バンド１２２はレンズ部１１０間の間隔を一定に維持する状態で固定される。各レンズ部１１０間の間隔をさらに狭めようとする時、使用者は連結バンドの突起１２２ａ， １２２ｂのうち中心線側の突起１２２ｂをレンズ部１１０の中心線側端部に形成された連結バンド挿入孔１２１に通過させればよい。このような鼻連結具１２０の連結バンド１２２はレンズ部１１０の間隔維持機能だけを遂行すれば充分であり、また連結バンド１２２の内部面上に形成された突起１２２ａ， １２２ｂが挿入孔１２１を容易に通過できないようにしなければならないため、連結バンド１２２は可撓性を必要としない。したがって、このような種類の鼻連結具の連結バンドは通常、弾性がない硬質プラスチックで形成される。
【０００４】
前記水中眼鏡は各レンズ部１１０間の間隔が狭くなるように連結バンド１２２が設置された時には連結バンド１２２の端部が着用者の顔の鼻梁の上部で伸びるようになる。このような連結バンド１２２の伸びた部分は水中眼鏡１００が偶然に外れた時、水によって弱くなった着用者の鼻梁の皮膚を傷つけることもある。また、挿入孔１２１は突起１２２ａ， １２２ｂが形成された連結バンド部分が容易に通過できないサイズになっているため、各レンズ部間の間隔を調節する作業が容易ではない。
【０００５】
他の形態の鼻連結具２２０が備えられた従来の水中眼鏡２００が示された図２を参照すると、鼻連結具２２２は所定間隔に離隔された複数個の第１貫通孔２２２ａ， ２２２ｂが形成された連結バンド２２２と、前記連結バンド２２２が各レンズ部２１０間に配置された時、連結バンド２２２に形成された第１貫通孔２２２ａ， ２２２ｂのうち一つと整列されるように、各レンズ部の中心線側端部に形成される第２貫通孔２２１と、前記第１貫通孔２２２ａ， ２２２ｂ のうち一つと前記第２貫通孔２２１を整列させた時、第１貫通孔のうち一つと第２貫通孔を通過して、これらを固定するように挿入される固定ピン２２３を含むもので、各レンズ部２１０間の間隔を調節する時、固定ピン２２３を除去した後で第２貫通孔２２１を他の第１貫通孔に整列させた後で挿入する作業は面倒なだけでなく固定ピン２２３を紛失するおそれがある。
【０００６】
また他の形態の鼻連結具３２０が備えられた従来の水中眼鏡３００が図３に示されている。図３は長手方向の両端部に一つずつの貫通孔３２２ａを有する可撓性連結バンド３２２と、各レンズ部３１０の中心線側端部に形成され前記連結バンドが支持されるようになっている連結バンド支持部３２１で構成されている鼻連結具３２０を示している。前記連結バンドの支持部３２１は各レンズ部３１０の中心線側端部から中心線側へ延長された延長部３２１ａと、延長部３２１ａの内部面から突出延長されるフック部３２１ｂと、延長部３２１ａの外部面から外側へ突出した突出部３２１ｃを含む。前記フック部３２１ｂと突出部３２１ｃはレンズ部の中心線側端部の延長部３２１ａと一体に成形される。前記連結バンド支持部３２１のフック部３２１ｂと突出部３２１ｃは、連結バンド３２２がその一端部に形成された貫通孔３２２ａを通じてフック部３２１ｂが通過した後、突出部３２１ｃ上に支持されるように構成される。このような連結バンド３２２は連結バンド支持部３２１から偶然に結合が解除される傾向があるだけでなく、水中眼鏡を着用した時、連結バンド支持部３２１のフック部３２１ｂが着用者の顔面に対面するようになっていて水中眼鏡が偶然に外れる時、水によって弱くなった着用者の顔の皮膚に傷をつけることがある。
【０００７】
【発明の開示】
本発明は従来技術が有する前記の問題点を解決するためのもので、本発明の主な目的は水中眼鏡の各レンズ部間の間隔を容易に調節することができるように連結バンドの着脱が容易な水中眼鏡を提供することである。
【０００８】
本発明の他の目的は連結バンドが連結バンド支持部材から使用中に偶然に除去されないように信頼性をもって、バンドを支持する連結バンド支持部材を有する水中眼鏡を提供することである。
【０００９】
本発明の他の目的は、連結バンド支持部材が比較的小型であり、着用中に水中眼鏡が偶然に外れる場合にも着用者の顔面を損傷させない安全な水中眼鏡を提供することである。
【００１０】
通常、水泳用の水中眼鏡あるいは視野保護装置は一対のレンズ部と、これらレンズ部の各中心線側端部を相互連結する鼻連結具を含む。ここに使用される「中心線」というのは鼻の垂直中央面に平行で頭からつま先まで垂直につながった人体の中心線に対応する特許請求された装置部分を意味する。各レンズ及び鼻連結具の長手方向移動は垂直中心線に直角であると考慮しなければならない。したがって、レンズが二つの長手方向端部を有していれば、一つのレンズの「中心線側端部」というのは使用者の解剖学的中心線側にある端部を意味し、「側方向端部」というのは中心線側端部から遠い、すなわち、中心線側端部の反対側の端部であることを意味する。
【００１１】
本願発明の一態様によれば、本発明の鼻連結具はそれぞれのレンズと別個に構成された可撓性連結バンド及びそれぞれのレンズに形成された２つの支持部材を含む。可撓性連結バンドはポリウレタンのような相対的に軟らかい質感の柔軟材料（ｐｌｉａｂｌｅ ｍａｔｅｒｉａｌ）で製造され得る。
【００１２】
連結バンドは二つの側方向端部上に各々位置した少なくとも一対の第１貫通孔対、前記第１貫通孔対から中心線に向かって遠くなる方向へ離隔された少なくとも一対の第２貫通孔対を含む。詳述した通り、「側方向」位置変化ということは水平方向、すなわち、垂直中心線に直角である方向から遠くなる方向への空間関係を意味する。
【００１３】
連結バンド支持部材は各レンズのそれぞれの中心線側端部に形成され、レンズを可撓性連結バンドに連結するようになっている。各支持部材はノブ、支持フック部材、ノブとフック部材を連結する連結部を含む。各ノブはレンズの中心線側端部から延長され、外部面と外部面に対向する内部面を有する。ここで使用される用語「正面」、「外部」、「外側」は本発明の水中眼鏡を着用した時、使用者から遠い方向に向かう面を言い、「後方」、「内部」、「内側」は本発明の水中眼鏡を着用した時、使用者に向かった面を言う。
【００１４】
それぞれの支持部材はまた、外面と外面に対向する内面を有するフック部材、第１端部及び第２端部を有する。第２端部は第１端部と対向し側方向へ延長され、連結部はノブの内部面をフック部材の外部面に連結する。第２端部は水中眼鏡を着用した時、使用者の鼻から遠くなる方向へ外部面に向かって傾くようにして一体に形成される。レンズにまた一体型に形成されたノブ及びフック部材の残りの部分は第２端部に沿ってテーパー（ｔａｐｅｒ）形状になっており、使用者の鼻から遠くなる方向へテーパー加工される。
【００１５】
それぞれの支持フック部材の第１端部を可撓性連結バンドの第１貫通孔を通過させ、その後、前記第１貫通孔それぞれと前記第２貫通孔それぞれの間の前記可撓性連結バンド部分を引っ張って支持フック部材の第２端部を可撓性連結バンドの第２貫通孔を通じて挿入させる時、前記各第１貫通孔は前記連結部の周囲に位置するようにする方法で可撓性連結バンドの前記側方向端部の各々が対応するバンド支持部材により支持される。
【００１６】
【発明を実施するための最良の形態】
本発明を添付図面を参照して以下でより詳細に記述することにする。本発明の水中眼鏡４００が示された図４を参照すれば、水中眼鏡４００は一対のレンズ４１０と、レンズの中心線側端部を連結する鼻連結具４２０を含む。ここで使用される用語「レンズの中心線側端部」は水中眼鏡を着用した時、着用者の鼻に近接したレンズの端部を意味する。
【００１７】
本発明の鼻連結具４２０はその側方向の両端部それぞれに隣接して形成された第１貫通孔４２２ａと第１貫通孔４２２ａから離隔されて形成された第２貫通孔４２２ｂを有する可撓性連結バンド４２２と、前記可撓性連結バンド４２２によって連結されるレンズ部４１０の中心線側端部に形成された連結バンド支持部材４２１を含む。
図５を参照すれば、可撓性連結バンド４２２がない状態で連結バンド支持部材４２１がより具体的に示されている。それぞれの支持部材４２１は各レンズ部４１０の中心線側端部に形成され、延長ノブ４２１ａと、支持フック部材４２１ｂと、延長ノブ４２１ａと支持フック部材４２１ｂ間を連結する連結部４２１ｃを含む。図示された通り、延長ノブ４２１ａ、支持フック部材４２１ｂ、連結部４２１ｃはレンズ４１０に（例えばモールディング（ｍｏｌｄｉｎｇ）により）一体に形成される。
【００１８】
前記延長ノブ４２１ａはレンズ部４１０の中心線側端部から中心線に向かって延長され、水中眼鏡４００を着用した時、着用者の顔面に対面するようになる内部面及びこれに対向した外部面を有する。支持フック部材４２１ｂは水中眼鏡着用時に顔面に対面する内部面及びこれに対向した外部面と第１端部４２１ｂ’及び第２端部４２１ｂ”を有する。連結部４２１ｃは前記支持フック部材４２１ｂの外部面と前記延長ノブ４２１ａの内部面を連結する。
【００１９】
第２端部４２１ｂ”は使用者が水中眼鏡を着用した時、使用者の鼻から遠くなり、外部面に向かう方向へ傾斜するように一体型に形成される。フック部材４２１ｂ及び延長ノブ４２１ａの残りの部分も、全てレンズに一体に形成されていて、図５で示した通り使用者の鼻から遠くなるようにテーパー（ｔａｐｅｒ）加工されている。したがって、使用者の顔面から空間的により大きく離隔されているようにするために、着用者の鼻の中心線から遠くなる方向へ傾いている。このような方法で、鼻梁の高い人、あるいはその他の人の鼻に接触するようになる危険がほとんどない。また水中眼鏡着用中に水中眼鏡が偶然に正しい位置から外れる時にも着用者の顔面に触れる可能性が小さくなる。したがって、着用者が水中眼鏡の鼻連結具によって傷を負う危険が少ない。
【００２０】
図６は前記連結バンド支持部材４２１の延長ノブ４２１ａに一体に形成された支持フック部材４２１ｂと連結部４２１ｃに可撓性連結バンド４２２が位置していることを示している。支持フック部材４２１ｂの第１端部４２１ｂ’は可撓性連結バンド４２２の第１貫通孔４２２ａを通過するようになっている。（図４及び図６を共に参照）。可撓性連結バンド（４２２；図４参照）を引っ張って第２端部（４２１ｂ”；図６参照）を可撓性連結バンドの第２貫通孔４２２ｂ内へ挿入するようになっていて、可撓性連結バンド４２２の端部が対応するバンド支持部材４２１により支持された時、第１貫通孔４２２ａは連結部４２１ｃの周囲に位置する。  詳述した本発明の鼻連結具４２０を構成する各部品を使用することで、連結バンド４２２は連結バンド支持部材４２１に簡便に設置できる。一旦、設置された連結バンド４２２は第２端部４２１ｂ”が連結部４２１ｃの周囲に固く維持された第２貫通孔４２２ｂと共に連結バンド４２２を留めているのでバンド支持部材４２１から容易に抜け出ない。
【００２１】
また、このような構成を有する本発明の連結バンド支持部材は従来の技術に比べ相対的に小さいサイズを有するコンパクトな一体型製造物が可能で、水中眼鏡全体の構成で占める空間が小さい。したがって、水中眼鏡のデザインを一層自由にできるだけでなく、水中眼鏡を着用した状態で水中眼鏡が偶然に正しい位置から外れたりあるいは意図的に取り外す場合でも着用者の顔面に傷をつけることが避けられる安全な構造物を提供する。
【００２２】
連結バンド４２２を水中眼鏡４００により容易に装着できるようにするために、連結バンド４２２は若干の弾性を持たなければならない。しかし、レンズ部間の間隔維持の機能を遂行するためには弾性があまり大きくてはだめである。したがって、本発明の水中眼鏡４００の連結バンド４２２は望ましくはポリウレタンで形成する。装着の容易性、調節機能のための過度でない弾性、安全な質感のような詳述した必要条件を充足する他の材料が使用可能であることは当業者ならば分かることである。このような代替可能材料の使用に関したことも全て本発明のカテゴリー内にあるものと考慮される。
【００２３】
一方、図示された本実施例では連結バンド（４２２；図４参照）に４つの貫通孔を有するものが示されている。図示された実施例では第１及び第２貫通孔４２２ａ， ４２２ｂが連結バンドの側方向端部に向かって形成されている。図４は３つの異なる長さを示していて、この場合第２貫通孔４２２ｂ間の空間が変化する。４つ以上の多数の貫通孔が形成され得ることは当業者ならば十分に分かることである。例えば、図７に示された通り、第３貫通孔４２２ｃが可撓性連結バンド４２２の第２貫通孔４２２ｂから中心線側へ追加で離隔形成され得る。したがって、それぞれの支持部材の第１端部４２１ｂ’を可撓性連結バンドの第２貫通孔４２２ｂを通過させた後、可撓性連結バンド４２２を引っ張って支持フック部材４２１ｂの第２端部４２１ｂ”を可撓性連結バンドの第３貫通孔４２２ｃに通過させることによって可撓性連結バンド４２２の端部が該当バンド支持部材４２１に支持されるようにし、可撓性連結バンドの第２貫通孔４２２ｂと第３貫通孔４２２ｃ間の部分が支持フック部材４２１ｂの外部面上で第２端部４２１ｂ”のフック部と連結部４２１ｃとの間に介在するようにすることで、各レンズ部４１０間の間隔をより狭くすることができる。また、図８に図示された通り複数個の貫通孔が連結バンドの全体の長さに渡って連続的に形成された連結バンドを使用することができる。この場合、連結バンドに形成される全体の貫通孔の個数は５つ以上でなければならない。
【００２４】
両レンズ部４１０間を連結する可撓性連結バンド４２２の長さを大、中、小と異なるようにした複数個の可撓性連結バンド４２２セットを用意し、複数個の可撓性連結バンドのうち着用者の眉間の長さに合う連結バンドを選択することで両レンズ部４１０間の距離を適切に調節することができる。
【００２５】
以上で、本発明を良好な実施例を挙げて説明したが、本発明はこれに限定されるのではなく、この他にも本発明のカテゴリーから逸脱することなく様々に変更または変形させることが可能である。
【図面の簡単な説明】
【図１】
従来の鼻連結具を有する水中眼鏡の斜視図。
【図２】
他の従来の鼻連結具を有する水中眼鏡の斜視図。
【図３】
他の従来の鼻連結具を有する水中眼鏡の斜視図。
【図４】
３種類の異なるサイズの連結バンドを図示している本発明の水中眼鏡の斜視図。
【図５】
本発明のレンズ上に位置した連結バンド支持部材の斜視図。
【図６】
図５に示したレンズと、レンズ上に位置した連結バンド支持部材に結合及び支持されている連結バンドの一部分の部分斜視図。
【図７】
本発明の鼻連結具の一実施例による連結バンドの斜視図。
【図８】
本発明の鼻連結具の他の実施例による連結バンドの斜視図。
【国際公開パンフレット】
2004500919.tif 000003
2004500919.tif 000004
2004500919.tif 000005
2004500919.tif 000006
2004500919.tif 000007
2004500919.tif 000008
2004500919.tif 000009
2004500919.tif 000010
2004500919.tif 000011
2004500919.tif 000012
2004500919.tif 000013
2004500919.tif 000014
2004500919.tif 000015
2004500919.tif 000016
2004500919.tif 000017
2004500919.tif 000018
2004500919.tif 000019
2004500919.tif 000020
2004500919.tif 000021
2004500919.tif 000022
2004500919.tif 000023
2004500919.tif 000024
【国際調査報告】
2004500919.tif 000025
2004500919.tif 000026